(57)【要約】      （修正有）【課題】柔軟なフレームにより快適な接触感を提供し、最適な連接部品の弾性により様々な顔型輪郭に適合する装着感を提供する。さらに、左、右フレームと顔との密着を形成することで、漏水を防止する。【解決手段】軟質材質の左フレーム２、右フレーム３及び連接部品４、及び硬質材質のレンズ６とヘッドベルト定位枠７、及びヘッドベルト９を含む。該レンズ上には定位部を設置し、該ヘッドベルト定位枠上には該定位部と一体に組合される嵌合体を設置し、該レンズと該ヘッドベルト定位枠の初期組み合わせに、さらに一体成型により該左、右フレームを形成し、該レンズ周囲を包覆し、該ヘッドベルト定位枠の局部を露出させ、該ヘッドベルトを貫通し定位する。【選択図】図７
0003131114.tif 000002
【実用新案登録請求の範囲】
【請求項１】
軟質材質の左フレーム、右フレーム、該左、右フレーム間に設置する連接部品、及び硬質材質のレンズとヘッドベルト定位枠、及びヘッドベルトを含み、
該レンズ上には定位部を設置し、該ヘッドベルト定位枠上には該定位部と一体に組合される嵌合体を設置し、該レンズと該ヘッドベルト定位枠の初期組み合わせに、さらに一体成型により該左、右フレームを形成し、該レンズ周囲を包覆し、該ヘッドベルト定位枠の局部を露出させ、こうして該ヘッドベルトを貫通し定位することを特徴とする水泳用ゴーグル。
【請求項２】
請求項１記載の水泳用ゴーグルにおいて、前記硬質ヘッドベルト定位枠は本体、及び該嵌合体にそれぞれ設置される２個の嵌設部、及び該２個の嵌設部と反対向きで該本体と傾斜角を呈し、しかも相互に一定の間隔距離を保持する２個のサポートアームを含み、
該２個のサポートアームの外側には相対し軸接続孔を設置し、その上には軸棒を設置することを特徴とする水泳用ゴーグル。
【請求項３】
請求項２記載の水泳用ゴーグルにおいて、前記嵌合体は凸粒で、該嵌設部上に一体成型されるため、該レンズ上の定位部は該嵌合体と対応する穿孔で、これにより該レンズは該嵌合体により該レンズの内側から外側に向かい該穿孔上において組合されることを特徴とする水泳用ゴーグル。
【請求項４】
請求項３記載の水泳用ゴーグルにおいて、前記２個の嵌設部は、該レンズ周囲の弧状面と相互に密着することができるよう、相互に弧状を形成することを特徴とする水泳用ゴーグル。
【請求項５】
請求項４記載の水泳用ゴーグルにおいて、前記レンズの周囲には、成型時の樹脂の貫通の便のため、注入孔を設置することを特徴とする水泳用ゴーグル。
【請求項６】
請求項２記載の水泳用ゴーグルにおいて、前記２個のサポートアーム上の該軸接続孔に近い位置には支軸を設置し、その上には圧板を可動接続し、該圧板の内側には組み合わせ接続アーム、固定アームを設置し、該固定アームは該ヘッドベルトに設置する固定槽において単一方向の圧力を加え、こうして該圧板を動かすと該固定アームは該固定槽の定位を離脱し、これにより該ヘッドベルトは自由に引き動かし調整可能となり、ヘッドベルトの長さを調整可能な効果を達成することを特徴とする水泳用ゴーグル。
【請求項７】
請求項６記載の水泳用ゴーグルにおいて、前記左、右フレームは該圧板に対応し凸ブロックを設置し、該凸ブロックは適当な弾力性を提供し、該圧板に圧力が加えられると、エネルギーを蓄えることで該圧板を元の位置に戻すことを特徴とする水泳用ゴーグル。
【請求項８】
請求項１記載の水泳用ゴーグルにおいて、前記２個の嵌設部の間の本体上にはさらに挟持道を設置し、該挟持道はL型体により構成され、該レンズを外側から定位することを特徴とする水泳用ゴーグル。
【請求項９】
請求項１記載の水泳用ゴーグルにおいて、前記連接部品と該左、右フレームは同一の軟質材質で、三者は一体成型により形成することを特徴とする水泳用ゴーグル。
【請求項１０】
請求項９記載の水泳用ゴーグルにおいて、前記左フレーム、該右フレームは一体成型によりクッションを設置することを特徴とする水泳用ゴーグル。
【考案の詳細な説明】
【技術分野】
【０００１】
本考案は水泳用ゴーグルに関する。特に左、右フレーム上のレンズを先に硬質材質のヘッドベルトにより初期定位し、さらにレンズ周囲とヘッドベルト定位フレームの局部を一体成型包覆し、これによりヘッドベルトが引っ張られてもフレームには影響しないため、こうしてフレームをより軟質の材質とし、快適な装用感と密着性、及び防水性を提供可能な水泳用ゴーグルに係る。
【背景技術】
【０００２】
公知の水泳用ゴーグルは左、右フレームが独立した分離式構造と左、右フレームが一体の一体式構造に分けられる。該独立分離式構造は連接部品により左、右フレームを接続し、該一体式構造は左、右フレームと連接部品が一体成型されている。
一般に一体式水泳用ゴーグルは、レンズを左、右フレーム上に安定的に収容、固定する必要から、軟質材料を選択することはできない。しかも、選択した材料は一定の硬度を備えなければならないため、左、右フレーム上に成型するクッションの柔軟性も良好ではなく、よって装着時の顔との接触感が不快である。
さらに、過度に硬い材質は連接部品をも過度に硬くしてしまい、様々な顔の形の消費者に適用することができない他、左、右フレームを適切に密着させることができないために、漏水する恐れさえある。
【考案の開示】
【考案が解決しようとする課題】
【０００３】
本考案は装着が快適で、漏水の恐れがない一体式水泳用ゴーグルを提供し、該水泳用ゴーグルは硬質材質のヘッドベルト定位枠により左、右フレームのレンズを初期定位し、さらに左フレーム、右フレーム及び連接部品、クッションを軟質材質により一体成型し、こうして柔軟なクッションは快適な接触感を提供し、最適な連接部品の弾性により様々な顔型輪郭に適合する装着感を提供することができ、さらに、左、右フレームと顔との密着を形成することで、漏水の恐れはなくなる。
【０００４】
すなわちそれは軟質材質の左フレーム、右フレーム及び連接部品、及び硬質材質のレンズとヘッドベルト定位枠、及びヘッドベルトを含み、
該レンズ上には定位部を設置し、該ヘッドベルト定位枠上には該定位部と一体に組合される嵌合体を設置し、該レンズと該ヘッドベルト定位枠の初期組み合わせに、さらに一体成型により該左、右フレームを形成し、該レンズ周囲を包覆し、該ヘッドベルト定位枠の局部を露出させ、こうして該ヘッドベルトを貫通定位し、
該硬質ヘッドベルト定位枠は本体及び２個の嵌設部を含み、該嵌合体はそれぞれその上に設置し、及び該２個の嵌設部と反対向きで該本体と傾斜角を呈し、しかも相互に一定の間隔距離を保持する２個のサポートアームを含み、該２個のサポートアーム上には相対し軸接続孔を設置し、該軸接続孔は該サポートアームに近い外側に設置し、
該嵌合体は凸粒で、該嵌設部上に一体成型されるため、該レンズ上の定位部は該嵌合体と対応する穿孔で、これにより該レンズは該嵌合体により該レンズの内側から外側に向かい該穿孔上において組合され、
さらにそれは、該２個の嵌設部の間の本体上にはさらに挟持道を設置し、該挟持道はL型体により構成され、該レンズを外側から定位し、
またそれは該２個のサポートアーム上の該軸接続孔に近い位置には支軸を設置し、その上には圧板を可動接続し、該圧板の内側には固定アームを設置し、該固定アームは該ヘッドベルトに設置する固定槽において単一方向の圧力を加え、こうして該圧板を動かすと該固定アームは該固定槽の定位を離脱し、これにより該ヘッドベルトは自由に引き動かし調整可能となり、ヘッドベルトの長さを調整可能な効果を達成することを特徴とする水泳用ゴーグル。
【課題を解決するための手段】
【０００５】
請求項１の考案は、軟質材質の左フレーム、右フレーム、該左、右フレーム間に設置する連接部品、及び硬質材質のレンズとヘッドベルト定位枠、及びヘッドベルトを含み、
該レンズ上には定位部を設置し、該ヘッドベルト定位枠上には該定位部と一体に組合される嵌合体を設置し、該レンズと該ヘッドベルト定位枠の初期組み合わせに、さらに一体成型により該左、右フレームを形成し、該レンズ周囲を包覆し、該ヘッドベルト定位枠の局部を露出させ、こうして該ヘッドベルトを貫通し定位することを特徴とする水泳用ゴーグルとしている。
請求項２の考案は、請求項１記載の水泳用ゴーグルにおいて、前記硬質ヘッドベルト定位枠は本体、及び該嵌合体にそれぞれ設置される２個の嵌設部、及び該２個の嵌設部と反対向きで該本体と傾斜角を呈し、しかも相互に一定の間隔距離を保持する２個のサポートアームを含み、
該２個のサポートアームの外側には相対し軸接続孔を設置し、その上には軸棒を設置することを特徴とする水泳用ゴーグルとしている。
請求項３の考案は、請求項２記載の水泳用ゴーグルにおいて、前記嵌合体は凸粒で、該嵌設部上に一体成型されるため、該レンズ上の定位部は該嵌合体と対応する穿孔で、これにより該レンズは該嵌合体により該レンズの内側から外側に向かい該穿孔上において組合されることを特徴とする水泳用ゴーグルとしている。
請求項４の考案は、請求項３記載の水泳用ゴーグルにおいて、前記２個の嵌設部は、該レンズ周囲の弧状面と相互に密着することができるよう、相互に弧状を形成することを特徴とする水泳用ゴーグルとしている。
請求項５の考案は、請求項４記載の水泳用ゴーグルにおいて、前記レンズの周囲には、成型時の樹脂の貫通の便のため、注入孔を設置することを特徴とする水泳用ゴーグルとしている。
請求項６の考案は、請求項２記載の水泳用ゴーグルにおいて、前記２個のサポートアーム上の該軸接続孔に近い位置には支軸を設置し、その上には圧板を可動接続し、該圧板の内側には組み合わせ接続アーム、固定アームを設置し、該固定アームは該ヘッドベルトに設置する固定槽において単一方向の圧力を加え、こうして該圧板を動かすと該固定アームは該固定槽の定位を離脱し、これにより該ヘッドベルトは自由に引き動かし調整可能となり、ヘッドベルトの長さを調整可能な効果を達成することを特徴とする水泳用ゴーグルとしている。
請求項７の考案は、請求項６記載の水泳用ゴーグルにおいて、前記左、右フレームは該圧板に対応し凸ブロックを設置し、該凸ブロックは適当な弾力性を提供し、該圧板に圧力が加えられると、エネルギーを蓄えることで該圧板を元の位置に戻すことを特徴とする水泳用ゴーグルとしている。
請求項８の考案は、請求項１記載の水泳用ゴーグルにおいて、前記２個の嵌設部の間の本体上にはさらに挟持道を設置し、該挟持道はL型体により構成され、該レンズを外側から定位することを特徴とする水泳用ゴーグルとしている。
請求項９の考案は、請求項１記載の水泳用ゴーグルにおいて、前記連接部品と該左、右フレームは同一の軟質材質で、三者は一体成型により形成することを特徴とする水泳用ゴーグルとしている。
請求項１０の考案は、請求項９記載の水泳用ゴーグルにおいて、前記左フレーム、該右フレームは一体成型によりクッションを設置することを特徴とする水泳用ゴーグルとしている。
【考案の効果】
【０００６】
本考案は左、右フレーム上のレンズを先に硬質材質のヘッドベルトにより初期定位し、さらにレンズ周囲とヘッドベルト定位フレームの局部を一体成型包覆し、これによりヘッドベルトが引っ張られてもフレームには影響しないため、こうしてフレームをより軟質の材質とし、快適な装用感と密着性、及び防水性を提供可能である。
【考案を実施するための最良の形態】
【０００７】
図１に示すように、本考案の水泳用ゴーグル１は軟質材質の左フレーム２、右フレーム３、連接部品４、クッション５、硬質材質のレンズ６、ヘッドベルト定位枠７、圧板８、ヘッドベルト９などの構成部品を含む。本考案の軟質材質はシリコンを採用し、硬質材質はPP材質を採用する。
続いて図２〜４に示すように、先ず該レンズ６の外側に近い上下位置に定位部６０を設置する。本実施例では穿孔で、しかもその周囲には成型時の樹脂の貫通の便のため注入孔６１を形成する。
該ヘッドベルト定位枠７は本体７０、嵌設部７１、７２、サポートアーム７３、７４、嵌合体７５、軸接続孔７６、軸棒７７、支軸７８、挟持道７９を含む。
該２個の嵌設部７１、７２は該本体７０より一体に延伸し、しかも該レンズ６の周囲面と相互に密着させるため相互に弧状を形成する。さらに該２個の嵌設部７１、７２上には該嵌合体７５を設置し、本実施例では凸粒である。該嵌合体７５は該嵌設部７１、７２上において一体に形成するため、該穿孔６０と対応可能で、こうして該レンズ６はレンズの内側から外側に向かって組合される。
該２個のサポートアーム７３、７４は該２個の嵌設部７１、７２と反対方向を呈し、該本体７０と傾斜角を形成する。しかも相互に一定の間隔距離を保持し、該２個のサポートアーム７３、７４の外側には該軸接続孔７６を相対し設置する。その上には該軸棒７７を組み合わせ、該ヘッドベルト９を貫通させ定位する。さらに該２個のサポートアーム７３、７４の該軸接続孔７６に近い位置には該支軸７８を設置し、該圧板８の設置に用いる。
また該２個の嵌設部７１、７２の間の本体７０上には挟持道７９を設置する。該挟持道７９はL型体により構成し、該レンズ６を外側から内へと固定する。
【０００８】
つまり、本考案の組み立て時には、先ず該レンズ６と該ヘッドベルト定位枠７を初期定位し、図２、図３に示すように、該レンズ６上の穿孔６０と該２個のサポートアーム７３、７４の嵌合体７５を組み合わせ、該レンズ６を内側から外へと組み合わせ固定し、さらに、該挟持道７９により該レンズ６を外側から内側へと定位する。
こうして図８に示すように、該レンズ６は安定的に初期定位を完了し、続いて成型モールド中に入れ該左フレーム２、該右フレーム３、該連接部品４、該クッション５などを一度に一体成型する(図４参照)。成型された樹脂は該レンズ６周囲を含み、該ヘッドベルト定位枠７の局部を露出し、こうして該ヘッドベルト９を貫通させ定位することができる。
ここで説明を要する点は、該凸ブロック２０、３０の所在位置が該圧板８に相対し、該圧板８が動かされる時に適当な回復弾性を提供可能なことである。これにより、本考案は該レンズ６と該ヘッドベルト定位枠７の初期定位により、該ヘッドベルト９が引っ張られてもフレームに影響を及ぼさず、こうしてフレームはより軟らかい材質を採用し快適な装着感と良好な密着性、及び防水性を発揮することができる。
【０００９】
上記のように一体成型後、該圧板８は図５に示すように組立てを行う。さらに図１、８に合わせて示すように、該圧板８の内側には組合わせ接続アーム８０、固定アーム８１を設置する。
該組み合わせ接続アーム８０は該支軸７８と可動接続し、これにより該圧板８は該支軸７８を支点として回転動が可能となる。該固定アーム８１は該ヘッドベルト９上の固定槽９０において一方向に圧力を加え、これにより該圧板８が回転動(図８の矢印方向参照)することで、該固定アーム８１は該固定槽９０の定位を離脱し、該ヘッドベルト９は自由に調整が可能となり、ヘッドベルト９の長さを調整可能な効果を達成する。
【００１０】
次に図６、７、８に示すように、本考案の水泳用ゴーグル１は通常の状態では、該ヘッドベルト９上の固定槽９０は該圧板８の固定アーム８１により定位されており、該ヘッドベルト９を張ることだけができる。
一方、図８に示すように、該ヘッドベルト９を緩める時には、該圧板８を外側へと上げる(矢印参照)。すると、該固定アーム８１は該ヘッドベルト９に対する該固定槽９０の定位を離脱し、こうして該ヘッドベルト９は緩めることができる方向に向かって調整を行う(この時、該凸ブロック２０、３０は圧迫され、エネルギーを蓄える)。該圧板８の移動を離すと、該凸ブロック２０、３０は蓄えていたエネルギーにより該圧板８を元の位置に戻し、こうして本考案圧板８の設置により、ヘッドベルトの長さは迅速に調整される。
【図面の簡単な説明】
【００１１】
【図１】本考案水泳用ゴーグルの立体分解図である。
【図２】図１の順を追った組み合わせ図である。
【図３】図１の順を追った組み合わせ図である。
【図４】図１の順を追った組み合わせ図である。
【図５】図１の順を追った組み合わせ図である。
【図６】図５の正面図である。
【図７】図６の5-5位置における断面図である。
【図８】図７の局部拡大図である。
【符号の説明】
【００１２】
１  水泳用ゴーグル
２  左フレーム
３  右フレーム
４  連接部品
５  クッション
６  レンズ
７  ヘッドベルト定位枠
８  圧板
９  ヘッドベルト
２０、３０  凸ブロック
６０  定位部
６１  注入孔
７０  本体
７１、７２  嵌設部
７３、７４  サポートアーム
７５  嵌合体
７６  軸接続孔
７７  軸棒
７８  支軸
７９  挟持道
８０  組合わせ接続アーム
８１  固定アーム
９０  固定槽
【図１】
0003131114.tif 000003
【図２】
0003131114.tif 000004
【図３】
0003131114.tif 000005
【図４】
0003131114.tif 000006
【図５】
0003131114.tif 000007
【図６】
0003131114.tif 000008
【図７】
0003131114.tif 000009
【図８】
0003131114.tif 000010